(57)【要約】【課題】手間をかけずに電源コードを外郭キャビネットの内部で確実に位置決めすることのできる構造を提案することによって、表示装置の生産性を向上させる。【解決手段】液晶モジュール４０と、フロントキャビネット２０と、リアキャビネット３０と、電源コード５０と、リアキャビネット３０のブッシュ取付部３２とを有する。フロントキャビネット２０に第１リブ２１を設け、リアキャビネット３０に第２リブ３２を設ける。電源コード５０のキャビネット収容部分５２が、外殻キャビネット１０の内部で、第１及び第２の各リブ２１，３２の相互間に前後方向で挟まれて蛇行形状に折り曲がっている。【選択図】図１
2012047839.tif 000002
【特許請求の範囲】
【請求項１】
背面側に配線基板が起立姿勢で装備された表示モジュールと、この表示モジュールが取り付けられたフロントキャビネットと、このフロントキャビネットと共働して外殻キャビネットを形成するリアキャビネットと、上記配線基板の一次活電部に接続された電源コードと、上記リアキャビネットに設けられて上記電源コードに装備されているブッシュが取り付けられるブッシュ取付部と、を有する表示装置において、
上記フロントキャビネットが、後向きに突出してその後向き突出端が上記一次活電部の後方に位置している第１リブを備え、上記リアキャビネットが上記第１リブの下側で前向きに突出する第２リブを備え、
上記電源コードの上記一次活電部との接続箇所から上記ブッシュ取付部に取り付けられた上記ブッシュの装備箇所に至る部分が、上記外殻キャビネットの内部で、上記第１及び第２の各リブの相互間に前後方向で挟まれて蛇行形状に折り曲げられていることを特徴とする表示装置。
【請求項２】
上記電源コードの上記一次活電部との接続箇所から上記ブッシュ取付部に取り付けられた上記ブッシュの装備箇所に至る部分が、上記第１リブの上側の空間と、上記第１リブの後向き突出端付近と、上記第１リブ及び第２リブの相互間に形成された隙間空間と、上記第２リブの前向き突出端付近と、上記第２リブの下側の空間と、をこの順に通過する蛇行形状に折り曲げられている請求項１に記載した表示装置。
【請求項３】
上記外殻キャビネットの内部で、上記電源コードが上記第２リブにより前方へ押し込まれていることによって、その電源コードの上記一次活電部との接続箇所から上記ブッシュ取付部に取り付けられた上記ブッシュの装備箇所に至る部分が、上記第１及び第２の各リブの相互間に前後方向で挟まれて蛇行形状に折り曲げられている請求項１又は請求項２に記載した表示装置。
【請求項４】
上記フロントキャビネットと上記リアキャビネットとを前後方向で合わせる工程を経て上記外殻キャビネットが組み立てられるように構成されている請求項３に記載した表示装置。
【請求項５】
上記第２リブにその前向き突出端で開放される前拡がり形状の凹入部が形成され、この凹入部に嵌まり込んだ上記電源コードが、その凹入部の横方向で相対向している一対の辺部の相互間に挟み込まれていると共に、一対の上記辺部が、上記外殻キャビネットを組み立てるための上記工程の途中で、上記第１活電部の後方へ引き出されている電源コードの１箇所を当該凹入部に誘導するための呼込みガイド辺部として形成されている請求項４に記載した表示装置。
【発明の詳細な説明】
【技術分野】
【０００１】
本発明は、表示装置、特に、表示モジュールを収容している外殻キャビネットを薄形化することが要求される場合に、表示モジュールの背面に起立姿勢で装備された配線基板の一次活電部とその一次活電部に接続されて引き廻されている電源コードとの間に十分に長い空間距離を容易に確保することのできる対策が講じられた表示装置に関する。
【背景技術】
【０００２】
この種の表示装置の一例である液晶テレビジョン受像機では、その外殻キャビネットが、フロントキャビネットとリアキャビネットとを前後方向で合わせる工程を経て組み立てられるように構成されていることが多い。また、フロントキャビネットには表示モジュールとしての液晶モジュールが取り付けられていて、その液晶モジュールの背面側に一次活電部などを備えた配線基板が起立姿勢で装備されている。そして、一次活電部から引き出された電源コードに装備されているブッシュを外殻キャビネットのどの箇所に取り付けるか、によって外殻キャビネットの外側への電源コードの引出し方向が定まるようになっている。そこで、上記ブッシュの取付け箇所としてリアキャビネットに設けたブッシュ取付部を選定することによって、外殻キャビネットからの電源コードの引出し方向をリアキャビネットの後方（外殻キャビネットの後方）に定めることがある。
【０００３】
この場合において、一次活電部から引き出された電源コードが、外殻キャビネットの内部で上下方向あるいは左右方向に不規則に折れ曲がっていると、電源コードが一次活電部に接触したり、電源コードと一次活電部との間に十分に長い空間距離が確保されなくなったりして配線基板の電気的性能に悪影響を及ぼすという事態が起こり得る。この事態は、外殻キャビネットの薄形化が要求される場合に特に顕著に起こり得る。
【０００４】
そこで、従来は、電源コードを、外殻キャビネットの内部で、フロントキャビネットや液晶モジュールに備わっている板金部材、上記配線基板、さらには外殻キャビネットに装備されているスピーカのワイヤーなどの相手方部材にクランプして位置決めするということが行われていた。
【０００５】
一方、先行例には、表示デバイスの背面側に回路基板を有するディスプレイ装置についての記載がある（たとえば、特許文献１、特許文献２参照）。そして、上掲の特許文献１では、電源コードを電源ブロックの入力ブロックから分離した構成が開示されている。また、他の先行例には、表示装置からのケーブルの引出し箇所を覆い隠すカバー部を設けることによって、ケーブル引出し箇所での美観の低下を防ぐ提案がなされている（たとえば、特許文献３参照）。さらに他の先行例には、表示装置における電気コードの引き廻し箇所が回路基板の対向箇所に定められている表示装置についての記述がある（たとえば、特許文献４参照）。そのほか、キャビネットの外側での外部接続用ケーブルの引き廻し構成についての研究も行われている（たとえば、特許文献５参照）。
【先行技術文献】
【特許文献】
【０００６】
【特許文献１】特開２００４−６９８９０号公報
【特許文献２】特開２００９−１６３１５２号公報
【特許文献３】特開２００８−１０９５９６号公報
【特許文献４】特開２００９−１２２３２３号公報
【特許文献５】特開２００６−２０２８１７号公報
【発明の概要】
【発明が解決しようとする課題】
【０００７】
上記した従来の表示装置では、電源コードを、外殻キャビネットの内部で、フロントキャビネットなどの相手方部材にクランプして位置決めするという手段を採用していたことにより、クランプ箇所がずれたりして電源コードの位置決めの確実性が損なわれることが多々あり、また、電源コードを相手方部材にいちいちクランプさせるのに手間がかかって作業性が損なわれていたという問題があった。
【０００８】
本発明は、以上の問題に鑑みてなされたものであり、手間をかけずに電源コードを外郭キャビネットの内部で確実に位置決めすることのできる構造を提案することによって、表示装置の生産性、特に薄形化された表示装置の生産性を向上させることを目的とする。
【課題を解決するための手段】
【０００９】
本発明に係る表示装置は、背面側に配線基板が起立姿勢で装備された表示モジュールと、この表示モジュールが取り付けられたフロントキャビネットと、このフロントキャビネットと共働して外殻キャビネットを形成するリアキャビネットと、上記配線基板の一次活電部に接続された電源コードと、上記リアキャビネットに設けられて上記電源コードに装備されているブッシュが取り付けられるブッシュ取付部と、を有する。そして、上記フロントキャビネットが、後向きに突出してその後向き突出端が上記一次活電部の後方に位置している第１リブを備え、上記リアキャビネットが上記第１リブの下側で前向きに突出する第２リブを備えている。また、上記電源コードの上記一次活電部との接続箇所から上記ブッシュ取付部に取り付けられた上記ブッシュの装備箇所に至る部分が、上記外殻キャビネットの内部で、上記第１及び第２の各リブの相互間に前後方向で挟まれて蛇行形状に折り曲げられている。
【００１０】
この発明によると、配線基板の一次活電部に接続されている電源コードが、外郭キャビネットの内部で、フロントキャビネットの第１リブとリアキャビネットの第２リブとにより挟まれて蛇行形状に折り曲げられていることにより、電源コードが一次活電部から離れた箇所で位置決めされることになる。そのため、外殻キャビネットの薄形化が促進されても、外郭キャビネットの内部で電源コードが一次活電部に接触したり、電源コードが一次活電部に接近して十分に長い空間距離が確保されなくなったりして配線基板の電気的性能に悪影響を及ぼすという事態が確実に防止されるという作用が発揮される。
【００１１】
これと同様の作用は、電源コードの蛇行形状に折り曲げられた部分、すなわち、電源コードの上記一次活電部との接続箇所から上記ブッシュ取付部に取り付けられた上記ブッシュの装備箇所に至る部分が、上記第１リブの上側の空間と、上記第１リブの後向き突出端付近と、上記第１リブ及び第２リブの相互間に形成された隙間空間と、上記第２リブの前向き突出端付近と、上記第２リブの下側の空間と、をこの順に通過している、という構成を採用することによっても発揮される。
【００１２】
本発明では、上記外殻キャビネットの内部で、上記電源コードが上記第２リブにより前方へ押し込まれていることによって、その電源コードの上記一次活電部との接続箇所から上記ブッシュ取付部に取り付けられた上記ブッシュの装備箇所に至る部分が、上記第１及び第２の各リブの相互間に前後方向で挟まれて蛇行形状に折り曲げられている、という構成を採用することも可能である。そして、この構成を採用するときには、上記フロントキャビネットと上記リアキャビネットとを前後方向で合わせる工程を経て上記外殻キャビネットが組み立てられるように構成されていることが望ましい。この構成であると、フロントキャビネットとリアキャビネットとを前後方向で合わせるという外郭キャビネットの組立工程を行うだけで、電源コードをいちいちクリップするという煩わしい作業を行うことなく、電源コードがフロントキャビネットの第１リブとリアキャビネットの第２リブとにより挟まれた状態で蛇行形状に折れ曲がって位置決めされるようになる。
【００１３】
本発明では、上記第２リブにその前向き突出端で開放される前拡がり形状の凹入部が形成され、この凹入部に嵌まり込んだ上記電源コードが、その凹入部の横方向で相対向している一対の辺部の相互間に挟み込まれていると共に、一対の上記辺部が、上記外殻キャビネットを組み立てるための上記工程の途中で、上記第１活電部の後方へ引き出されている電源コードの１箇所を当該凹入部に誘導するための呼込みガイド辺部として形成されていることが望ましい。この構成であると、フロントキャビネットとリアキャビネットとを前後方向で合わせるという外郭キャビネットの組立工程を行うときに、電源コードの１箇所が第２リブの呼込みガイド辺部の作用で凹入部に嵌まり込む。そのため、外郭キャビネットの組立工程を行うだけで、電源コードをいちいちクリップするという煩わしい作業を行うことなく、電源コードがフロントキャビネットの第１リブとリアキャビネットの第２リブとにより挟まれた状態で蛇行形状に折れ曲がって前後方向で位置決めされるだけでなく、電源コードが上記凹入部の一対の辺部により挟み込まれて横方向及び長手方向でも位置ずれしないように位置決めされる。
【発明の効果】
【００１４】
以上のように、本発明によれば、電源コードを、フロントキャビネットなどの相手方部材にいちいちクランプすることなく、外郭キャビネットの内部で蛇行形状に保形して確実に位置決めすることができるので、薄形化された表示装置であっても、電源コードが配線基板の一次活電部に接触したりすることがなくなり、また、電源コードと一次活電部との空間距離を十分に長く確保することが容易かつ確実に可能になる。
【００１５】
特に、フロントキャビネットとリアキャビネットとを前後方向で合わせることによって外郭キャビネットが組み立てられるようになっているものでは、外郭キャビネットを組み立てる工程を行うだけで、電源コードと一次活電部との空間距離を十分に長く確保することが容易かつ確実に可能になるので、表示装置の生産性、特に薄形化された表示装置の生産性が向上する。
【図面の簡単な説明】
【００１６】
【図１】本発明の実施形態に係る表示装置の要部の垂直断面図である。
【図２】図１のＩＩ矢視に相応する背面図である。
【図３】図１のＩＩＩ−ＩＩＩ線に沿う部分の横断平面図である。
【図４】ブッシュを取り付ける作業を示した説明図である。
【図５】外郭キャビネットの組立工程の説明図である。
【図６】コード処理工程の初期段階を示した説明図である。
【発明を実施するための形態】
【００１７】
図１は本発明の実施形態に係る表示装置の要部の垂直断面図、図２は図１のＩＩ矢視に相応する背面図、図３は図１のＩＩＩ−ＩＩＩ線に沿う部分の横断平面図である。
【００１８】
図１に示した表示装置は、フロントキャビネット２０とリアキャビネット３０とを前後方向で合わせることによって外郭キャビネット１０が組み立てられている。言い換えると、フロントキャビネット２０とそのフロントキャビネット２０に前後方向で合わせられたリアキャビネット３０とが共働して外郭キャビネット１０を形成する。フロントキャビネット１０には表示モジュールとしての液晶モジュール４０が取り付けられている。液晶モジュール４０は、図示していない起立姿勢の液晶パネルや板金部材が含まれるほか、板金部材の背面に起立姿勢で固定された配線基板４１などが含まれている。そして、配線基板４１には一次活電部４２が備わっていて、その一次活電部４２にＡＣコードとしての電源コード５０が接続されている。また、電源コード５０にはブッシュ５１が装備されていて、このブッシュ５１が、リアキャビネット３０の下部に設けられているブッシュ取付部３１に取り付けられている。図例の表示装置では、ブッシュ取付部３１に取り付けられたブッシュ５１から引き出された電源コード５０が、外郭キャビネット１０の外部後方へ引き出されている。
【００１９】
フロントキャビネット２０の下部に板片状の第１リブ２１が後向き水平に突出している。この第１リブ２１は、配線基板４１の一次活電部４２の下方で一次活電部４２の後方にまで突出する長さを有している。そのため、第１リブ２１の後向き突出端２２は一次活電部４２の後方に位置している。これに対し、フロントキャビネット２０と共働して外郭キャビネット１０を形作っているリアキャビネット３０では、第１リブ２１との間に間隔を隔ててその第１リブ２１の下側に位置する板片状の第２リブ３２が前向き水平に突出されている。そして、図１のように、上記外殻キャビネット１０の内部では、電源コード５０の一次活電部４２との接続箇所ａからブッシュ取付部３１に取り付けられたブッシュ５１の装備箇所ｂに至る部分（以下「キャビネット収容部分５２」という）が、第１及び第２の各リブ２１，３２の相互間に前後方向で挟まれて蛇行形状に折り曲げられている。さらに具体的には、電源コード５０の上記キャビネット収容部分５２が、第１リブ２１の上側の空間Ｓ１と、第１リブ２１の後向き突出端２２の付近と、第１リブ２１及び第２リブ３２の相互間に形成された隙間空間Ｓ２と、第２リブ３２の前向き突出端３３の付近と、第２リブ３２の下側の空間Ｓ３と、をこの順に通過する蛇行形状に折り曲げられている。
【００２０】
この実施形態では、図１又は図３のように、板片状の第２リブ３２にその前向き突出端３３で開放される前拡がり形状の凹入部３４が形成されていて、この凹入部３４に嵌まり込んだ電源コード５０のキャビネット収容部分５２の１箇所が、その凹入部３４の横方向で相対向している一対の辺部３５，３５の相互間に挟み込まれている。
【００２１】
以上のように構成された表示装置によれば、外郭キャビネット１０の内部で、配線基板４１の一次活電部４２に接続されている電源コード５０のキャビネット収容部分５２が、一次活電部４２の下方の離れた箇所で位置決めされる。すなわち、電源コード５０のキャビネット収容部分５２が、第１リブ２１と第２リブ３２とにより前後方向で挟まれていて、なおかつ、第１リブ２１や第２リブ３２に沿う蛇行形状に折り曲げられているために、そのキャビネット収容部分５２が一次活電部４２の下方の離れた箇所で当該一次活電部４２に近付くことがない状態で位置決めされる。したがって、外殻キャビネット１０が薄形化されていても、外郭キャビネット１０の内部で電源コード５０のキャビネット収容部分５２が、一次活電部４２に接触したり、一次活電部４２に接近して十分に長い空間距離が確保されなくなったりするという事態が未然に防止される。
【００２２】
ここで、上記した第１リブ２１の後向き突出端２２の付近とは、第１リブ２１の後向き突出端２２に接触位置を含んでその後向き突出端の近傍箇所を意味している。また、第２リブ３２の前向き突出端３３の付近とは、第２リブ３２の前向き突出端３３を含んで凹入部３５の内側部分を意味している。したがって、電源コード５０の蛇行形状に折り曲げられたキャビネット収容部分５２は、図１に示したように第１リブ２１の後向き突出端２２からその後方に少し離れた位置で折返し状に引き廻されていてもよく、また、図示していないけれども、第１リブ２１の後向き突出端２２に接触して折返し状に引き廻されていてもよい。同様に、電源コード５０の蛇行形状に折り曲げられたキャビネット収容部分５２は、図１に示したように第２リブ３２の凹入部３４の内側部分に嵌まり込んで折返し状に引き廻されていてもよく、また、図示していないけれども、第２リブ３２の前向き突出端３３の前側に空間が確保されている場合には、第２リブ３２の前向き突出端３３に接触して折返し状に引き廻されていてもよい。
【００２３】
この実施形態において、第２リブ３２に設けられている上記凹入部３４は、前拡がり形状に形作られていて第２リブ３２の前向き突出端３３で開放している。そして、この凹入部３４の横方向で対向している一対の辺部３５，３５が呼込みガイド辺部３６として形成されている。この呼込みガイド辺部３６は、外殻キャビネット１０を組み立てるための工程（組立工程）の途中で、第１活電部４２の後方へ引き出されている電源コード５０の１箇所を凹入部３４に誘導する作用を発揮する。
【００２４】
また、図１及び図２を併せ見ることによって判るように、リアキャビネット３０の下部に設けられているブッシュ取付部３２には、ブッシュ５１を嵌め込むための挿入口３７が併設されている。
【００２５】
次に、外郭キャビネット１０の組立工程と、電源コード５０のキャビネット収容部分５２を蛇行形状に折り曲げるコード処理工程とを説明する。図４は外郭キャビネット１０の組立工程の初期段階でブッシュ５１をリアキャビネット３０のブッシュ取付部３２に取り付ける作業を示した説明図、図５は外郭キャビネット１０の組立工程の説明図、図６はコード処理工程の初期段階を示した説明図である。
【００２６】
外郭キャビネット１０の組立工程の初期段階で行われるブッシュ取付作業では、図４に示したように、ブッシュ取付部３２に併設されている挿入口３７を利用して矢印Ａのようにブッシュ５１をブッシュ取付部３２に嵌め込んで固定する。このときには、電源コード５０でのブッシュ装着箇所を適宜調節しておくことによって、電源コード５０の一次活電部４２（図１参照）との接続箇所ａからブッシュ５１の装備箇所ｂに至る部分（キャビネット収容部分５２）の長さをあらかじめ適切に定めておく。
【００２７】
次に、ブッシュ５１をリアキャビネット３０のブッシュ取付部３１に取り付けた後、外郭キャビネット組立工程を行う。この組立工程は、図５の矢印Ｂのように、フロントキャビネット２０とリアキャビネット３０とを前後方向で合わせることによって行う。このような組立工程を行うと、外殻キャビネット１０の内部で、一次活電部４２（図１参照）から後方へ引き出されている電源コード５０のキャビネット収容部分５２の１箇所が第２リブ３２により前方へ押し込まれる。その結果、電源コード５０のキャビネット収容部分５２が、図１のように第１及び第２の各リブ２１，３２の相互間に前後方向で挟まれて蛇行形状に折り曲げられる。
【００２８】
また、この実施形態では、第２リブ３２に呼込みガイド辺部３６が設けられているために、フロントキャビネット２０とリアキャビネット３０とを前後方向で合わせるときに、図６の矢印Ｃのように、電源コード５０のキャビネット収容部分５２の１箇所が第２リブ３２の呼込みガイド辺部３６の作用で凹入部３４に自然に誘導される。したがって、電源コード５０のキャビネット収容部分５２が横ずれすることなく、第１及び第２の各リブ２１，３２の相互間に前後方向で挟まれて蛇行形状に折り曲げられる。
【００２９】
以上の手順で外郭キャビネット１０が組み立てられて、電源コード５０のキャビネット収容部分５２が蛇行形状に折り曲げられていると、電源コード５０のキャビネット収容部分５２が、第１リブ２１と第２リブ３２とにより前後方向で位置決めされるだけでなく、その収容部分５２の１箇所が凹入部３４の一対の辺部３５，３５により挟み込まれて横方向及び長手方向でも位置ずれしないように位置決めされる。したがって、配線基板４１の一次活電部４２に電源コード５０のキャビネット収容部分５２が接触したり、そのキャビネット収容部分５２が一次活電部４２に接近して十分に長い空間距離が確保されなくなるといった不都合を生じる余地がなくなる。
【符号の説明】
【００３０】
１０  外殻キャビネット
２０  フロントキャビネット
２１  第１リブ
２２  第１リブの後向き突出端
３０  リアキャビネット
３１  ブッシュ取付部
３２  第２リブ
３３  第２リブの前向き突出端
３４  凹入部
３５  凹入部の辺部
３６  呼込みガイド辺部
４０  表示モジュール（液晶モジュール）
４１  配線基板
４２  配線基板の一次活電部
５０  電源コード
５１  ブッシュ
ａ  電源コードの一次活電部との接続箇所
ｂ  電源コードのブッシュの装備箇所
Ｓ１  第１リブの上側の空間
Ｓ２  第１リブ及び第２リブの相互間の隙間空間
Ｓ３  第２リブの下側の空間
【図１】
2012047839.tif 000003
【図２】
2012047839.tif 000004
【図３】
2012047839.tif 000005
【図４】
2012047839.tif 000006
【図５】
2012047839.tif 000007
【図６】
2012047839.tif 000008